(57)【要約】【課題】信頼性が高く、低コストな空気調和機の室外機等を提供する。【解決手段】圧縮機を駆動するための定格電流が所定値以上である圧縮機用インバータ回路５ｅ、及び、室外ファンを駆動するための定格電流が前記所定値未満であるファン用インバータ回路５ｆが、一枚の制御基板Ｂに実装され、圧縮機用インバータ回路５ｅ及びファン用インバータ回路５ｆは、交流電圧を直流電圧に変換する交直変換器５ｂに配線ｐ，ｑ，ｍ，ｎを介して接続され、配線ｍ，ｎには、電気ノイズを低減するコモンモードコイル５ｇが設けられている。【選択図】図２
2019011904.tif 000002
【特許請求の範囲】
【請求項１】
冷媒を圧縮する圧縮機と、冷媒と外気との間で熱交換が行われる室外熱交換器と、前記室外熱交換器に外気を送り込む室外ファンと、制御基板と、を備え、
前記圧縮機を駆動するための定格電流が所定値以上である大電流用インバータ回路、及び、前記室外ファンを駆動するための定格電流が前記所定値未満である小電流用インバータ回路が、一枚の前記制御基板に実装され、
前記大電流用インバータ回路及び前記小電流用インバータ回路は、その入力側が、交流電圧を直流電圧に変換する交直変換器に配線を介して接続され、
前記配線には、電気ノイズを低減するノイズ低減素子が設けられること
を特徴とする空気調和機の室外機。
【請求項２】
前記ノイズ低減素子は、コモンモードコイルであり、
前記大電流用インバータ回路、前記小電流用インバータ回路、及び前記コモンモードコイルが、一枚の前記制御基板に実装されること
を特徴とする請求項１に記載の空気調和機の室外機。
【請求項３】
前記配線は、
前記交直変換器と前記大電流用インバータ回路とを接続する第１配線と、
一端が前記第１配線に接続され、他端が前記小電流用インバータ回路に接続される第２配線と、を有し、
前記ノイズ低減素子は、前記第２配線に設けられること
を特徴とする請求項１又は請求項２に記載の空気調和機の室外機。
【請求項４】
複数の前記室外ファンと一対一で対応する複数の前記小電流用インバータ回路が、一枚の前記制御基板に実装され、
複数の前記小電流用インバータ回路に対応して、前記第２配線が複数に分岐しており、
前記第２配線において、各分岐点よりも前記一端側に、一つの前記ノイズ低減素子が設けられること
を特徴とする請求項３に記載の空気調和機の室外機。
【請求項５】
圧縮機、凝縮器、膨張弁、及び蒸発器を順次に介して、冷凍サイクルで冷媒が循環する冷媒回路を備え、
前記凝縮器及び前記蒸発器の一方は、室外機が有する室外熱交換器であり、他方は、室内機が有する室内熱交換器であり、
前記室外機は、前記圧縮機及び前記室外熱交換器の他、前記室外熱交換器に外気を送り込む室外ファンを有するとともに、制御基板を有し、
前記圧縮機を駆動するための定格電流が所定値以上である大電流用インバータ回路、及び、前記室外ファンを駆動するための定格電流が前記所定値未満である小電流用インバータ回路が、一枚の前記制御基板に実装され、
前記大電流用インバータ回路及び前記小電流用インバータ回路は、その入力側が、交流電圧を直流電圧に変換する交直変換器に配線を介して接続され、
前記配線には、電気ノイズを低減するノイズ低減素子が設けられること
を特徴とする空気調和機。
【発明の詳細な説明】
【技術分野】
【０００１】
本発明は、空気調和機の室外機、及び空気調和機に関する。
【背景技術】
【０００２】
室外機の圧縮機を駆動するための圧縮機用インバータや、室外ファンを駆動するためのファン用インバータ等が実装される基板について、例えば、特許文献１に記載の技術が知られている。すなわち、特許文献１には、「圧縮機用インバータ回路、…複数のファン用インバータ回路及び…演算装置（マイコン）」を一枚のインバータ基板に実装することが記載されている。
【先行技術文献】
【特許文献】
【０００３】
【特許文献１】国際公開第２０１６／００６１０６号
【発明の概要】
【発明が解決しようとする課題】
【０００４】
一般に、圧縮機用インバータ回路に流れる電流は、ファン用インバータ回路に流れる電流よりも大きい。特許文献１に記載の技術では、前記した電流の大きさの違いや、基板の配線パターンのインピーダンス等に起因して、圧縮機用インバータ回路の基準電位（母線の電位）と、小電流用インバータ回路の基準電位（母線の電位）と、の間に電位差が生じる可能性がある。この電位差は、各インバータ回路が備えるスイッチング素子のオン／オフに伴って時間的に小刻みに変動するため、電気ノイズが発生し、場合によっては、ファン用インバータ回路等の誤動作を引き起こす可能性がある。したがって、空気調和機の信頼性をさらに高め、また、低コスト化を図ることが求められている。
【０００５】
そこで、本発明は、信頼性が高く、低コストな空気調和機の室外機等を提供することを課題とする。
【課題を解決するための手段】
【０００６】
前記した課題を解決するために、本発明は、圧縮機を駆動するための定格電流が所定値以上である大電流用インバータ回路、及び、室外ファンを駆動するための定格電流が前記所定値未満である小電流用インバータ回路が、一枚の制御基板に実装され、前記大電流用インバータ回路及び前記小電流用インバータ回路は、その入力側が、交流電圧を直流電圧に変換する交直変換器に配線を介して接続され、前記配線には、電気ノイズを低減するノイズ低減素子が設けられることを特徴とする。なお、前記した「配線」には、制御基板（プリント基板）の配線パターンが含まれる。
【発明の効果】
【０００７】
本発明によれば、信頼性が高く、低コストな空気調和機の室外機等を提供できる。
【図面の簡単な説明】
【０００８】
【図１】本発明の第１実施形態に係る空気調和機が備える冷媒回路の説明図である。
【図２】本発明の第１実施形態に係る空気調和機が備える室外制御回路の構成図である。
【図３】本発明の第１実施形態に係る空気調和機の室外機の制御基板に実装される回路部品の説明図である。
【図４】本発明の第２実施形態に係る空気調和機の室外機の制御基板に実装される回路部品の説明図である。
【発明を実施するための形態】
【０００９】
≪第１実施形態≫
＜空気調和機の構成＞
図１は、空気調和機Ｗが備える冷媒回路Ｑの説明図である。
なお、図１の実線矢印は、暖房運転時の冷媒の流れを示している。また、図１の破線矢印は、冷房運転時の冷媒の流れを示している。
図１に示す空気調和機Ｗは、冷凍サイクル（ヒートポンプサイクル）で冷媒を循環させることによって、空調を行う機器である。
【００１０】
図１に示すように、空気調和機Ｗは、圧縮機１と、室外熱交換器２と、室外ファン３と、四方弁４と、室外制御回路５と、を備え、これらの機器が室外機Ｇｏに設けられている。また、空気調和機Ｗは、前記した構成の他に、膨張弁６と、室内熱交換器７と、室内ファン８と、室内制御回路９と、を備え、これらの機器が室内機Ｇｉに設けられている。
【００１１】
圧縮機１は、圧縮機モータ１ａ（図２では「ＣＭ」と記載）の駆動によって、低温低圧のガス冷媒を圧縮し、高温高圧のガス冷媒として吐出する機器である。
【００１２】
室外熱交換器２は、その伝熱管（図示せず）を通流する冷媒と、室外ファン３から送り込まれる外気と、の間で熱交換が行われる熱交換器である。
室外ファン３は、室外ファンモータ３ａ（図２では「ＦＭ」と記載）の駆動によって、室外熱交換器２に外気を送り込むファンであり、室外熱交換器２の付近に設置されている。
【００１３】
室内熱交換器７は、その伝熱管（図示せず）を通流する冷媒と、室内ファン８から送り込まれる室内空気（被空調空間の空気）と、の間で熱交換が行われる熱交換器である。
室内ファン８は、室内ファンモータ８ａの駆動によって、室内熱交換器７に室内空気を送り込むファンであり、室内熱交換器７の付近に設置されている。
【００１４】
膨張弁６は、「凝縮器」（室外熱交換器２及び室内熱交換器７の一方）で凝縮した冷媒を減圧する機能を有している。膨張弁６において減圧された冷媒は、「蒸発器」（室外熱交換器２及び室内熱交換器７の他方）に導かれる。なお、図１では、室内機Ｇｉに膨張弁６が設置される例を示しているが、室外機Ｇｏに膨張弁を設置してもよいし、また、室内機Ｇｉ及び室外機Ｇｏのそれぞれに膨張弁を適宜に設置してもよい。
【００１５】
四方弁４は、空気調和機Ｗの運転モードに応じて、冷媒の流路を切り替える弁である。例えば、冷房運転時（破線矢印を参照）には、圧縮機１、室外熱交換器２（凝縮器）、膨張弁６、及び室内熱交換器７（蒸発器）が、四方弁４を介して環状に順次接続されてなる冷媒回路Ｑにおいて、冷凍サイクルで冷媒が循環する。
【００１６】
また、暖房運転時（実線矢印を参照）には、圧縮機１、室内熱交換器７（凝縮器）、膨張弁６、及び室外熱交換器２（蒸発器）が、四方弁４を介して環状に順次接続されてなる冷媒回路Ｑにおいて、冷凍サイクルで冷媒が循環する。
【００１７】
すなわち、圧縮機１、「凝縮器」、膨張弁６、及び「蒸発器」を順次に介して、冷凍サイクルで冷媒が循環する冷媒回路Ｑにおいて、前記した「凝縮器」及び「蒸発器」の一方は室外熱交換器２であり、他方は室内熱交換器７である。
【００１８】
室外制御回路５は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。室外制御回路５は、室内制御回路９から通信線（図示せず）を介して受信したデータや、各センサ（図示せず）の検出値等に基づいて、圧縮機モータ１ａ、室外ファンモータ３ａ、四方弁４等を制御する。
【００１９】
室内制御回路９は、図示はしないが、ＣＰＵ、ＲＯＭ、ＲＡＭ、各種インタフェース等の電子回路を含んで構成されている。室内制御回路９は、室外制御回路５から通信線（図示せず）を介して受信したデータや、各センサ（図示せず）の検出値、リモコン（図示せず）からの信号等に基づいて、膨張弁６や室内ファンモータ８ａを制御する。
【００２０】
＜室外制御回路の構成＞
図２は、空気調和機Ｗの室外機Ｇｏが備える室外制御回路５の構成図である。
図２に示すように、室外制御回路５は、ノイズフィルタ５ａと、交直変換器５ｂと、スナバコンデンサ５ｃ，５ｄと、を備えている。また、室外制御回路５は、前記した構成の他に、圧縮機用インバータ回路５ｅと、ファン用インバータ回路５ｆと、コモンモードコイル５ｇ（ノイズ低減素子）と、を備えている。さらに、室外制御回路５は、電流センサ５ｈと、シャント抵抗５ｉと、過電流検出回路５ｊ，５ｋと、瞬時電流検出回路５ｒと、ＭＣＵ５ｓ（Micro Controller Unit）と、ドライバＩＣ５ｔ，５ｕ（Integrated Circuit）と、を備えている。
【００２１】
図２に示すノイズフィルタ５ａは、三相の交流電源Ｅから印加される交流電圧のノイズを減衰させるフィルタ回路である。
交直変換器５ｂは、ノイズフィルタ５ａを介して自身に印加される交流電圧を直流電圧に変換する回路である。交直変換器５ｂの入力側（交流側）は、ノイズフィルタ５ａに接続されている。交直変換器５ｂの出力側（直流側）は、配線ｐ，ｑを介して圧縮機用インバータ回路５ｅに接続され、また、配線ｐ，ｑの一部及び配線ｍ，ｎを介してファン用インバータ回路５ｆにも接続されている。
【００２２】
図２に示すように、交直変換器５ｂは、整流回路５１ｂと、平滑コンデンサ５２ｂと、を備えている。
整流回路５１ｂは、三対のダイオード（図示せず）がブリッジ形に接続された周知のダイオードブリッジ回路である。
平滑コンデンサ５２ｂは、整流回路５１ｂから印加される電圧（脈動する直流電圧）を平滑化するための電解コンデンサである。平滑コンデンサ５２ｂの正極は配線ｐに接続され、負極は配線ｑに接続されている。
【００２３】
スナバコンデンサ５ｃは、圧縮機用インバータ回路５ｅのスイッチングに伴うサージ電圧を抑制するコンデンサであり、圧縮機用インバータ回路５ｅの入力側（直流側）に設けられている。
【００２４】
圧縮機用インバータ回路５ｅは、交直変換器５ｂから印加される直流電圧を所定の交流電圧に変換し、この交流電圧によって圧縮機モータ１ａを駆動する回路である。つまり、圧縮機用インバータ回路５ｅは、その入力側が、配線ｐ，ｑを介して交直変換器５ｂに接続され、出力側が圧縮機モータ１ａに接続されている。
【００２５】
図２に示すように、圧縮機用インバータ回路５ｅは、上アームのスイッチング素子Ｓｕと、下アームのスイッチング素子Ｓｄと、が直列接続されてなる第１レグ・第２レグ・第３レグが、互いに並列接続された構成になっている。前記した第１レグの中間端子、第２レグの中間端子、及び第３レグの中間端子は、それぞれ、圧縮機モータ１ａの巻線（図示せず）に接続されている。また、各スイッチング素子Ｓｕ，Ｓｄには、それぞれ、還流ダイオードＤが逆並列に接続されている。
なお、圧縮機用インバータ回路５ｅは、圧縮機１を駆動するための定格電流（例えば、２０［Ａ］）が所定値（例えば、１０［Ａ］）以上である「大電流用インバータ回路」に相当する。
【００２６】
ファン用インバータ回路５ｆは、交直変換器５ｂから印加される直流電圧を所定の交流電圧に変換し、この交流電圧によって室外ファンモータ３ａを駆動する回路である。つまり、ファン用インバータ回路５ｆは、その入力側が、配線ｍ，ｎ等を介して交直変換器５ｂに接続され、出力側が室外ファンモータ３ａに接続されている。ファン用インバータ回路５ｆは、圧縮機用インバータ回路５ｅと同様の構成になっている。
なお、ファン用インバータ回路５ｆは、室外ファン３を駆動するための定格電流（例えば、０．５［Ａ］）が所定値（例えば、１０［Ａ］）未満である「小電流用インバータ回路」に相当する。
【００２７】
また、圧縮機用インバータ回路５ｅやファン用インバータ回路５ｆの入力側に接続される「配線」には、「第１配線」及び「第２配線」が含まれている。前記した「第１配線」は、交直変換器５ｂと圧縮機用インバータ回路５ｅとを接続する配線ｐ，ｑである。
また、前記した「第２配線」は、その一端が「第１配線」に接続され、他端がファン用インバータ回路５ｆに接続される配線ｍ，ｎである。より詳しく説明すると、正側の配線ｍは、その一端が配線ｐ（平滑コンデンサ５２ｂとスナバコンデンサ５ｃとの間）に接続され、他端がファン用インバータ回路５ｆに接続されている。また、負側の配線ｎは、その一端が配線ｑ（平滑コンデンサ５２ｂとスナバコンデンサ５ｃとの間）に接続され、他端がファン用インバータ回路５ｆに接続されている。
【００２８】
図２に示すスナバコンデンサ５ｄは、ファン用インバータ回路５ｆのスイッチングに伴うサージ電圧を抑制するコンデンサであり、ファン用インバータ回路５ｆの入力側（直流側）に設けられている。
【００２９】
コモンモードコイル５ｇは、電気ノイズを低減するノイズフィルタコイルであり、配線ｍ，ｎに設けられている。このコモンモードコイル５ｇは、環状を呈するコア（図示せず）に対して加極性となるように、配線ｍ，ｎの一部が巻き付けられた構成になっている。そして、圧縮機用インバータ回路５ｅの「基準電位」と、ファン用インバータ回路５ｆの「基準電位」と、の電位差に起因する電流が流れた場合、コモンモードコイル５ｇに発生する磁束が強め合ってインダクタンスが増加し、前記した電流を減衰させるようになっている。
【００３０】
なお、圧縮機用インバータ回路５ｅの「基準電位」とは、圧縮機用インバータ回路５ｅの下アームを構成するスイッチング素子Ｓｄのエミッタ側の電位である。図１に示す例では、圧縮機用インバータ回路５ｅのスイッチング素子Ｓｄのエミッタ側は、接地されている。また、ファン用インバータ回路５ｆの「基準電位」とは、ファン用インバータ回路５ｆの下アームを構成するスイッチング素子Ｓｄのエミッタ側の電位である。
【００３１】
電流センサ５ｈは、圧縮機用インバータ回路５ｅに流れる電流を検出するセンサであり、配線ｑにおいて、スナバコンデンサ５ｃと圧縮機用インバータ回路５ｅとの間に設けられている。
シャント抵抗５ｉは、ファン用インバータ回路５ｆに流れる電流を検出するセンサであり、配線ｎにおいて、スナバコンデンサ５ｄとファン用インバータ回路５ｆとの間に設けられている。
【００３２】
過電流検出回路５ｊは、電流センサ５ｈの検出値に基づき、圧縮機用インバータ回路５ｅに過電流が流れているか否かを判定（検出）する回路である。
別の過電流検出回路５ｋは、シャント抵抗５ｉの両端の電位差に基づき、ファン用インバータ回路５ｆに過電流が流れているか否かを判定（検出）する回路である。
【００３３】
瞬時電流検出回路５ｒは、シャント抵抗５ｉの両端の電位差に基づき、ファン用インバータ回路５ｆに流れている電流の瞬時値を検出する回路である。
ＭＣＵ５ｓは、電流センサ５ｈや瞬時電流検出回路５ｒの検出値等に基づき、ＰＷＭ制御（Pulse Width Modulation）によって、ドライバＩＣ５ｔ，５ｕに所定の制御信号を出力する。
【００３４】
ドライバＩＣ５ｔは、ＭＣＵ５ｓから入力される制御信号に基づいて、圧縮機用インバータ回路５ｅの各スイッチング素子Ｓｕ，Ｓｄのオン／オフを切り替える。
別のドライバＩＣ５ｕは、ＭＣＵ５ｓから入力される制御信号に基づいて、ファン用インバータ回路５ｆの各スイッチング素子Ｓｕ，Ｓｄのオン／オフを切り替える。
【００３５】
図３は、空気調和機Ｗの室外制御回路５が実装される制御基板Ｂの説明図である。
なお、図３では、図２に示す電流センサ５ｈ、シャント抵抗５ｉ、過電流検出回路５ｊ，５ｋ、瞬時電流検出回路５ｒ、及びドライバＩＣ５ｔ，５ｕの図示を省略している。
図３に示す制御基板Ｂは、室外制御回路５を構成する各電子部品が実装されるプリント基板である。なお、図３に示す配線ｐ，ｑ，ｍ，ｎ等は、制御基板Ｂの配線パターンとして形成されている。
【００３６】
図３に示すように、ノイズフィルタ５ａ、交直変換器５ｂ、スナバコンデンサ５ｃ，５ｄ、コモンモードコイル５ｇ、圧縮機用インバータ回路５ｅ、ファン用インバータ回路５ｆや、ＭＣＵ５ｓ等の電子部品が、一枚の制御基板Ｂに実装されている。より詳しく説明すると、制御基板Ｂの中央付近にコモンモードコイル５ｇが設置され、このコモンモードコイル５ｇを取り囲むように、他の電子部品が配置されている。これによって、制御基板Ｂに形成される配線パターン（配線ｍ，ｎ等）の長さを短くすることができる。したがって、配線パターンのインピーダンスを低減し、ひいては、圧縮機用インバータ回路５ｅ等のスイッチング動作に伴う電気ノイズを抑制できる。また、各回路を一枚の制御基板Ｂに実装することで、制御基板Ｂの小型化・低コスト化を図ることができる。
【００３７】
＜作用・効果＞
圧縮機１（図１参照）が駆動されると、圧縮機用インバータ回路５ｅには比較的大きな（例えば、２０［Ａ］の）電流が流れる。また、室外ファンモータ３ａが駆動すると、ファン用インバータ回路５ｆには比較的小さな（例えば、０．５［Ａ］の）電流が流れる。ここで、配線ｐ，ｑ，ｍ，ｎ等の配線パターンは所定のインピーダンスを有しているため、前記したように、圧縮機用インバータ回路５ｅの基準電位と、ファン用インバータ回路５ｆの基準電位と、の間に電位差が生じる。この電位差は、圧縮機用インバータ回路５ｅ等のスイッチング動作に伴って経時的に変動し、電気ノイズが発生する。特に、小電流が流れるファン用インバータ回路５ｆへの電気ノイズの悪影響が懸念されていた。
【００３８】
そこで、本実施形態では、ファン用インバータ回路５ｆ側の配線ｍ，ｎにコモンモードコイル５ｇを設けることで、前記した基準電位の間の電位差を低減し、電気ノイズを抑制するようにしている。これによって、ファン用インバータ回路５ｆ等の誤動作を防止し、空気調和機Ｗの信頼性を従来よりも高めることができる。
【００３９】
また、コモンモードコイル５ｇは、別種類のノイズ低減素子であるフェライトコアとは異なり、制御基板Ｂに直接的に実装される。つまり、制御基板Ｂの外部に配線を介してコモンモードコイル５ｇを接続する必要がないため、外部の配線を設けないぶん製造コストを削減できる。また、制御基板Ｂを収容する電装品箱（図示せず）の小型化を図ることもできる。
【００４０】
また、本実施形態では、圧縮機用インバータ回路５ｅ及びファン用インバータ回路５ｆが、同一の制御基板Ｂに実装されている。仮に、各インバータ回路を別々の制御基板に実装すると、各制御基板の電子部品を電気的に接続するハーネス（図示せず）を設ける必要が生じるが、本実施形態では、前記したハーネスを設ける必要がない。これによって、室外機Ｇｏの製造コストを削減し、また、制御基板Ｂが収容される電装品箱（図示せず）の小型化を図ることができる。
【００４１】
さらに、圧縮機用インバータ回路５ｅ及びファン用インバータ回路５ｆが、一つのＭＣＵ５ｓによって制御される。したがって、複数のＭＣＵを設ける構成に比べて、空気調和機Ｗの低コスト化を図ることができる。
【００４２】
≪第２実施形態≫
第２実施形態は、空気調和機Ｗが２つの室外ファン（図示せず）を備え、２つの室外ファンと一対一で対応して、２つのファン用インバータ回路５１ｆ，５２ｆ（図４参照）が設けられる点が、第１実施形態とは異なっている。なお、その他については第１実施形態と同様である。したがって、第１実施形態とは異なる部分について説明し、重複する部分については説明を省略する。
【００４３】
図４は、空気調和機の室外制御回路５Ａが実装される制御基板ＢＡの説明図である。
なお、図４では、第１実施形態で説明した電流センサ５ｈ（図２参照）、シャント抵抗５ｉ、過電流検出回路５ｊ，５ｋ、瞬時電流検出回路５ｒ、及びドライバＩＣ５ｔ，５ｕ等の図示を省略している。
空気調和機の室外機（図示せず）は、前記したように、２つの室外ファン（図示せず）を備えている。一方の室外ファンの駆動源である室外ファンモータ３１ａは、ファン用インバータ回路５１ｆ（小電流用インバータ回路）に接続されている。他方の室外ファンの駆動源である室外ファンモータ３２ａは、別のファン用インバータ回路５２ｆ（小電流用インバータ回路）に接続されている。
【００４４】
そして、圧縮機用インバータ回路５ｅ、コモンモードコイル５ｇ、ＭＣＵ５ｓ等の他に、２つの室外ファンと一対一で対応する２つのファン用インバータ回路５１ｆ，５２ｆが、一枚の制御基板ＢＡに実装されている。
【００４５】
また、２つのファン用インバータ回路５１ｆ，５２ｆに対応して、配線ｍ，ｎ（第２配線）が、それぞれ、２つに分岐している。より詳しく説明すると、正側の配線ｍは、一端が配線ｐに接続され、他端側で２つに分岐し、その他端がファン用インバータ回路５１ｆ，５２ｆに接続されている。同様に、負側の配線ｎは、一端が配線ｑに接続され、他端側で２つに分岐し、その他端がファン用インバータ回路５１ｆ，５２ｆに接続されている。これらの配線ｍ，ｎにおいて、その分岐点ｍ１，ｎ１よりも一端側（配線ｐ，ｑ側）に、一つのコモンモードコイル５ｇ（ノイズ低減素子）が設けられている。このコモンモードコイル５ｇによって、特にファン用インバータ回路５１ｆ，５２ｆの電気ノイズを抑制できる。
【００４６】
＜効果＞
第２実施形態によれば、制御基板ＢＡに２つのファン用インバータ回路５１ｆ，５２ｆが実装される構成においても、１つのコモンモードコイル５ｇによって電気ノイズを適切に抑制できる。
【００４７】
また、２つのファン用インバータ回路５１ｆ，５２ｆに対応して、ひとつずつコモンモードコイルを設ける（つまり、２つのコモンモードコイルを設ける）構成に比べて、空気調和機の低コスト化を図ることができる。さらに、制御基板ＢＡを収容する電装品箱（図示せず）の小型化を図ることもできる。
【００４８】
≪変形例≫
以上、本発明に係る空気調和機Ｗ等について実施形態で説明したが、本発明はこれらの記載に限定されるものではなく、種々の変更を行うことができる。
例えば、各実施形態では、電気ノイズを低減する「ノイズ低減素子」として、コモンモードコイル５ｇを用いる構成について説明したが、これに限らない。すなわち、コモンモードコイル５ｇに代えて、フェライトコア（ノイズ低減素子：図示せず）を用いてもよい。この場合には、配線ｍ，ｎの一部を制御基板Ｂの外側に引き回し、制御基板Ｂの外側において配線ｍ，ｎにフェライトコアを設置するようにすればよい。このような構成でも、ファン用インバータ回路５ｆ等の電気ノイズを抑制できる。
【００４９】
また、第２実施形態では、２つの室外ファン（図示せず）に一対一で対応する、２つのファン用インバータ回路５１ｆ，５２ｆ（図４参照）を設ける構成について説明したが、これに限らない。すなわち、室外ファンやファン用インバータ回路の個数は、３つ以上であってもよい。言い換えると、複数の室外ファンと一対一で対応する、複数のファン用インバータ回路を、圧縮機用インバータ回路５ｅ等とともに一枚の制御基板Ｂに実装する構成であってもよい。このような構成において、複数のファン用インバータ回路に対応して、配線ｍ，ｎ（第２配線）が複数に分岐し、配線ｍ，ｎにおいて、各分岐点よりも一端側（配線ｐ，ｑ側）に、一つのコモンモードコイル５ｇ（ノイズ低減素子）を設けることが好ましい。これによって、それぞれのファン用インバータ回路において、電気ノイズを適切に抑制できるからである。
【００５０】
また、各実施形態では、室内機Ｇｉ（図１参照）及び室外機Ｇｏ（図１参照）が一台ずつ設けられる構成について説明したが、これに限らない。すなわち、並列接続された複数台の室内機を設けてもよいし、並列接続された複数台の室外機を設けてもよい。
また、各実施形態で説明した空気調和機Ｗは、ビル用マルチエアコンや設備用パッケージエアコン、ルームエアコン等、様々な種類のエアコンに適用できる。
【００５１】
また、各実施形態は本発明を分かりやすく説明するために詳細に記載したものであり、必ずしも説明した全ての構成を備えるものに限定されない。また、実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００５２】
１  圧縮機
２  室外熱交換器（凝縮器／蒸発器）
３  室外ファン
４  四方弁
５，５Ａ  室外制御回路
５ｂ  交直変換器
５ｅ  圧縮機用インバータ回路（大電流用インバータ回路）
５ｆ，５１ｆ，５２ｆ  ファン用インバータ回路（小電流用インバータ回路）
５ｇ  コモンモードコイル（ノイズ低減素子）
６  膨張弁
７  室内熱交換器（蒸発器／凝縮器）
８  室内ファン
９  室内制御回路
Ｂ，ＢＡ  制御基板
Ｇｏ  室外機
Ｇｉ  室内機
Ｑ    冷媒回路
Ｗ  空気調和機
ｐ，ｑ  配線（第１配線）
ｍ，ｎ  配線（第２配線）
ｍ１，ｎ１  分岐点
【図１】
2019011904.tif 000003
【図２】
2019011904.tif 000004
【図３】
2019011904.tif 000005
【図４】
2019011904.tif 000006